(57)【要約】      （修正有）【課題】見守りから処置までのタイムラグを短縮できる介護施設を提供する。【解決手段】介護施設１は、被介護者それぞれに割り当てられた居住空間１２と、居住空間１２内に、固定的に設置されたコンピュータ６と、集中管理室１０に設置された集中管理コンピュータ５とを有する。集中管理コンピュータ５は、被介護者それぞれを介護するための介護情報又は被介護者それぞれに医療行為を施すための医療情報を、被介護者それぞれに関連付けて格納する格納部と、格納部に格納されている介護情報又は医療情報の中から、選択された情報を居住空間１２に設置されたコンピュータ６に配信する配信部とを含む。【選択図】図１
2020160545.tif 000002
【特許請求の範囲】
【請求項１】
被介護者それぞれに割り当てられた居住空間と、
前記居住空間内に、固定的に設置されたコンピュータと、
集中管理室に設置された集中管理コンピュータと
を有し、
前記集中管理コンピュータは、
前記被介護者それぞれを介護するための介護情報、又は、前記被介護者それぞれに医療行為を施すための医療情報を、被介護者それぞれに関連付けて格納する格納部と、
前記格納部に格納されている介護情報又は医療情報の中から、選択された情報を前記居住空間に設置されたコンピュータに配信する配信部と
を含む
介護施設。
【請求項２】
前記被介護者のバイタルデータを取得するバイタル取得部
をさらに有し、
前記居住空間内に設置されたコンピュータは、前記バイタル取得部により取得されたバイタルデータを前記集中管理コンピュータに送信し、
前記格納部は、受信したバイタルデータを格納する
請求項１に記載の介護施設。
【請求項３】
医師又は看護師が操作するコンピュータ
をさらに有し、
前記配信部は、前記格納部に格納されている情報の一部を、前記医師又は看護師が操作するコンピュータに配信する
請求項２に記載の介護施設。
【請求項４】
被介護者それぞれに割り当てられた居住空間と、前記居住空間内に、固定的に設置されたコンピュータと、集中管理室に設置された集中管理コンピュータとを有する介護施設において、
前記集中管理コンピュータが、前記被介護者それぞれを介護するための介護情報、又は、前記被介護者それぞれに医療行為を施すための医療情報を、被介護者それぞれに関連付けてデータベースに登録するステップと、
前記集中管理コンピュータが、前記データベースに登録されている介護情報又は医療情報の中から、選択された情報を前記居住空間に設置されたコンピュータに配信するステップと
を有する介護支援方法。
【発明の詳細な説明】
【技術分野】
【０００１】
本発明は、介護施設、及び、介護支援方法に関する。
【背景技術】
【０００２】
例えば、特許文献１には、訪問者が携帯する情報端末との間に通信路を確立し、訪問先に配置された記録媒体より前記情報端末が読み取った訪問先位置、前記訪問先位置を読み取った時点の時刻情報、および、前記時点で前記情報端末が検出した現在位置を、前記情報端末から取得する通信手段と、取得した前記訪問先位置と前記現在位置とを比較し、位置の差異が所定の範囲内のときに、前記訪問先位置と前記時刻情報とを有効化する制御手段と、を備えて成る、行動管理装置が開示されている。
【０００３】
また、特許文献２には、一般の各車両のドア付近に設けられたＩＤ情報を無線で送信するＲＦＩＤタグと、 該ＲＦＩＤタグからの情報を受信する身障者が持つ携帯端末と、該携帯端末と接続され、該携帯端末から必要な情報を受信して所定の処理を行ない、その結果を前記携帯端末に送信する他、全体の介護支援動作の制御を行なう通信センターと、を含んで構成される携帯端末による身障者支援システムが開示されている。
【先行技術文献】
【特許文献】
【０００４】
【特許文献１】特開２０１６−１４９０６６
【特許文献２】特開２００６−４２２３９
【発明の概要】
【発明が解決しようとする課題】
【０００５】
見守りから処置までのタイムラグを短縮でき、例えば、人件費の削減、スピーディな対応、より早い処置を目的とする。
【課題を解決するための手段】
【０００６】
本発明に係る介護施設は、被介護者それぞれに割り当てられた居住空間と、前記居住空間内に、固定的に設置されたコンピュータと、集中管理室に設置された集中管理コンピュータとを有し、前記集中管理コンピュータは、前記被介護者それぞれを介護するための介護情報、又は、前記被介護者それぞれに医療行為を施すための医療情報を、被介護者それぞれに関連付けて格納する格納部と、前記格納部に格納されている介護情報又は医療情報の中から、選択された情報を前記居住空間に設置されたコンピュータに配信する配信部とを含む。
【０００７】
好適には、前記被介護者のバイタルデータを取得するバイタル取得部をさらに有し、前記居住空間内に設置されたコンピュータは、前記バイタル取得部により取得されたバイタルデータを前記集中管理コンピュータに送信し、前記格納部は、受信したバイタルデータを格納する。
【０００８】
好適には、医師又は看護師が操作するコンピュータをさらに有し、前記配信部は、前記格納部に格納されている情報の一部を、前記医師又は看護師が操作するコンピュータに配信する。
【０００９】
本発明に係る介護支援方法は、被介護者それぞれに割り当てられた居住空間と、前記居住空間内に、固定的に設置されたコンピュータと、集中管理室に設置された集中管理コンピュータとを有する介護施設において、前記集中管理コンピュータが、前記被介護者それぞれを介護するための介護情報、又は、前記被介護者それぞれに医療行為を施すための医療情報を、被介護者それぞれに関連付けてデータベースに登録するステップと、前記集中管理コンピュータが、前記データベースに登録されている介護情報又は医療情報の中から、選択された情報を前記居住空間に設置されたコンピュータに配信するステップとを有する。
【発明の効果】
【００１０】
見守りから処置までのタイムラグを短縮でき、例えば、人件費の削減、スピーディな対応、より早い処置を目的とする。
【図面の簡単な説明】
【００１１】
【図１】介護施設１の各階の構成を例示する平面図である。
【図２】介護施設１におけるコンピュータシステムの全体構成を例示する図である。
【図３】介護者端末３の機能構成を例示する図である。
【図４】集中管理コンピュータ５の機能構成を例示する図である。
【図５】集中管理コンピュータ５により作成される介護記録を例示する図である。
【図６】介護施設１における介護支援処理（Ｓ１０）を説明するフローチャートである。
【発明を実施するための形態】
【００１２】
以下、本発明の実施形態を、図面を参照して説明する。
図１（Ａ）は、介護施設１の１階部分の平面図であり、図１（Ｂ）は、介護施設１の上階の平面図である。なお、本例では、５階建ての介護施設１を具体例として説明するが、これに限定されるものではなく、例えば、平屋であってもよい。
図１に例示するように、介護施設１には、複数の居室１２と、１つの集中管理室１０とが設けられている。居室１２の内外を仕切るドアは、自動ドア１６になっている。同様に、集中管理室１２の内外を仕切るドアは、自動ドア１６である。すなわち、介護者及び被介護者は、自動ドア１６に触れることなく、廊下１４から居室１２に入ることができる。この点は、感染症予防の観点から好適である。
【００１３】
集中管理室１０は、集中管理コンピュータ５が設けられており、介護者は、集中管理コンピュータ５を操作して、被介護者の状態を管理している。ここで、介護者には、医師及び看護師が含まれうる。
居室１２は、被介護者それぞれに割り当てられた居住空間であり、各居室１２の内部には、居室コンピュータ６が固定的に設置されている。
本例では、複数階からなる介護施設１において、１つの集中管理室１０で被介護者を集中的に見守ることができるため、人手不足の解消、遠隔指示によるスピーディな対応、及び、早い処置が期待できる。
【００１４】
図２は、介護施設１におけるコンピュータシステムの全体構成を例示する図である。
図２に例示するように、介護施設１は、集中管理コンピュータ５及び居室コンピュータ６に加えて、マイク２、介護者端末３、介護者識別タグ７、及び被介護者識別タグ９を含み、ネットワーク７を介して互いに接続している。
マイク２は、介護者端末３に接続され、音声を集音する。
介護者端末３は、マイク２が接続され、介護者が携帯する携帯端末である。具体的には、介護者端末３は、携帯型コンピュータ端末であり、マイク２により集音された、介護者による被介護者の介護処置内容を録音する。具体的には、介護者端末３は、音声を認識する音声認識アプリケーションソフトウェアにより、マイク２から入力された音声データを、被介護者の識別情報に関連付けて蓄積する。また、介護者端末３は、被介護者識別タグ９（後述）を読み取ることにより、被介護者の識別情報を取得する。なお、介護者端末３は、スマートフォン、又は、タブレット型情報端末等であってもよい。
【００１５】
集中管理コンピュータ５は、コンピュータ端末であり、被介護者のバイタルデータ等を収集し、必要に応じて、情報を選択し居室コンピュータ６に配信する。また、集中管理コンピュータ５は、介護者端末３により蓄積された音声データを、介護施設１の外部にある変換サービスを利用してテキストデータに変換し、変換したテキストデータに基づいて、介護記録又は看護記録を作成する。
居室コンピュータ６には、センサ入出力装置６０が接続されている。センサ入出力装置６０は、居室１２の内部、及び、被介護者の身体に設置されたセンサに接続されており、センサの検知結果を、居室コンピュータ６を介して集中管理コンピュータ５に送信する。センサは、例えば、被介護者のバイタルを測定する測定器、体動センサ、室温計、湿度計、尿センサなどである。
【００１６】
介護者識別タグ７は、近距離の無線通信により情報を送受信するＲＦＩＤであり、介護者を識別する識別情報を、介護者端末３に送信する。具体的には、介護者識別タグ７は、介護者を識別する介護者番号、通信設定、及び音声認識アプリケーションソフトウェアの起動情報を有する。本例における介護者識別タグ７は、ＮＦＣタグである。
【００１７】
被介護者識別タグ９は、介護施設１の各被介護者に割り当てられた居室１２それぞれに設置され、被介護者又は居室１２を識別するための識別情報を発信する。具体的には、被介護者識別タグ９は、近距離の無線通信により情報を送受信するＲＦＩＤであり、被介護者を識別する識別情報を介護者端末３に送信する。より具体的には、被介護者識別タグ９は、被介護者の居室を有する施設番号、被介護者を識別する識別番号、被介護者の略称、及び通信設定を有する。本例における被介護者識別タグ９は、ＮＦＣタグである。なお、本例において、一つの居室１２に一人の被介護者が居住しているものとする。
【００１８】
図３は、介護者端末３の機能構成を例示する図である。
図３に例示するように、本例の介護者端末３には、介護情報収集プログラム３０がインストールされる。
介護情報収集プログラム３０は、識別情報受信部３００、録音制御部３０２、及び送信部３０４を有する。
なお、介護情報収集プログラム３０の一部又は全部は、ＡＳＩＣなどのハードウェアにより実現されてもよく、また、ＯＳ（Ｏｐｅｒａｔｉｎｇ Ｓｙｓｔｅｍ）の機能を一部借用して実現されてもよい。
介護情報収集プログラム３０において、識別情報受信部３００は、識別情報発信装置から識別情報を受信する。具体的には、識別情報受信部３００は、介護者が、介護者端末３を被介護者識別タグ９にかざすことにより、被介護者の識別情報を受信する。
【００１９】
録音制御部３０２は、被介護者識別タグ９から識別情報を受信したことを条件として、マイクから入力される音声の録音を開始又は終了させる。具体的には、識別情報受信部３００が、被介護者の識別情報を受信した時に音声データの蓄積を開始し、同じ被介護者の識別情報を再度受信した時に音声データの蓄積を終了する。録音制御部３０２は、音声の録音を開始する場合に、被介護者の識別情報と、録音の開始とを音声により案内する。さらに、録音制御部３０２は、音声の録音を終了する場合に、録音の終了と、音声データの介護支援装置５への送信とを音声により案内する。
送信部３０４は、録音制御部３０２により集音した音声データに、識別情報受信部３００により受信した被介護者の識別情報と、介護者の識別情報とを関連付けて、介護支援装置５に送信する。具体的には、送信部３０４は、録音制御部３０２により録音が終了された場合に、介護支援装置５に被介護者の識別情報と、介護者の識別情報とが関連付けられた音声データを送信する。
なお、これらの機能は、音声認識アプリケーションソフトウェアを介護者端末３にインストールすることにより機能する。
【００２０】
図４は、集中管理コンピュータ５の機能構成を例示する図である。
図４に例示するように、本例の集中管理コンピュータ５には、介護支援プログラム５０がインストールされると共に、介護情報及び医療情報が登録されたデータベース（格納部６００）が構成される。
介護支援プログラム５０は、音声データ取得部５００、介護記録作成部５０２、バイタル取得部５０４、及び配信部５０６を有する。
なお、介護支援プログラム５０の一部又は全部は、ＡＳＩＣなどのハードウェアにより実現されてもよく、また、ＯＳ（Ｏｐｅｒａｔｉｎｇ Ｓｙｓｔｅｍ）の機能を一部借用して実現されてもよい。
格納部６００は、集中管理コンピュータ５の記録装置内に構成され、被介護者それぞれを介護するための介護情報、及び、被介護者それぞれに医療行為を施すための医療情報を、被介護者それぞれに関連付けて格納する。医療情報には、看護記録が含まれうる。
【００２１】
介護支援プログラム５０において、音声データ取得部５００は、介護者端末３により録音された音声データを取得する。具体的には、音声データ取得部５００は、介護者端末３により録音された音声データと、音声データに関連付けられた被介護者の識別情報とを取得する。
【００２２】
介護記録作成部５０２は、音声データ取得部５００により取得された音声データに基づいて、介護記録又は看護記録を作成する。具体的には、介護記録作成部５０２は、音声データ取得部５００により取得された音声データをテキストデータに変換させ、変換されたテキストデータを用いて、介護記録又は看護記録を作成する。さらに、介護記録作成部５０２は、被介護者識別タグ９から介護者端末３に送信された識別情報に基づいて、介護記録又は看護記録の対象となる被介護者を特定し、特定された被介護者に関連付けて、作成された介護記録又は看護記録を格納部６００に登録する。
【００２３】
バイタル取得部５０４は、センサ入出力装置６０から受信したセンサの検知結果を被介護者に関連付けて格納部６００に登録する。センサの検知結果には、バイタルデータに加えて、室温や湿度、体動センサの検知結果などが含まれる。
【００２４】
配信部５０６は、格納部６００に格納されている介護情報又は医療情報の中から、選択された情報を居室コンピュータ６及び介護者端末３に配信する。例えば、配信部５０６は、被介護者に異常が発生した場合に、この被介護者の介護情報及び医療情報を格納部６００から選択し、選択された情報を、この被介護者の居室コンピュータ６、及び、この被介護者を担当する医師又は看護師の介護者端末３に送信する。
【００２５】
図５は、集中管理コンピュータ５により作成された介護記録又は看護記録を例示する図である。
図５に例示するように、介護記録又は看護記録は、介護処置を実施した日付、介護者名、入居者ＩＤ（被介護者の識別情報）、入居者名（被介護者名）及びケア記録を有する。ケア記録は、被介護者の健康状態、及び介護者による処置内容が記される。この他、介護記録作成部５０２は、介護記録又は看護記録として、被介護者識別タグ９を読み取った時刻を、処置を実施した時刻として記録してもよい。
【００２６】
図６は、介護施設１における介護支援処理（Ｓ１０）を説明するフローチャートである。
図６に例示するように、ステップ１００（Ｓ１００）において、集中管理コンピュータ５の介護記録作成部５０２は、介護者の音声に基づいて、介護情報及び医療情報を格納部６００に追加登録し、バイタル取得部５０４は、居室１２に設置されたセンサの検知結果を格納部６００に追加登録する。
ステップ１０５（Ｓ１０５）において、集中管理コンピュータ５は、追加登録された介護情報やセンサの検知結果をリアルタイムで表示する。例えば、集中管理室１０の介護者は、集中管理コンピュータ５に表示された情報に基づいて、被介護者に異常が発生してないかを監視する。
被介護者に異常が発生した場合に、Ｓ１１０の処理に移行し、異常が発生していない場合に、Ｓ１００の処理に戻る。
【００２７】
ステップ１１０（Ｓ１１０）において、集中管理コンピュータ５は、介護者の操作等に基づいて、異常が発生した被介護者を特定する。
ステップ１１５（Ｓ１１５）において、配信部５０６は、特定された被介護者の担当医又は看護師に、被介護者に異常が発生した旨、及び、この被介護者の居室１２を通知する。
ステップ１２０（Ｓ１２０）において、配信部５０６は、特定された被介護者の居室１２に設置された居室コンピュータ６又は担当医等の介護者端末３に対して、介護情報及び医療情報（バイタルデータなど）を配信する。
ステップ１２５（Ｓ１２５）において、集中管理コンピュータ５は、被介護者の介護が終了するまで（Ｓ１２５：Ｎｏ）、Ｓ１００の処理に戻り、被介護者の見守りを継続する。
【００２８】
以上説明したように、介護施設１では、複数の居室１２に居住する被介護者について、１つの集中管理室１０で集中的に見守りを行うことにより、人手不足の解消、スピーディな対応、より早い処置が期待できる。また、集中管理コンピュータ５が、集中管理している被介護者の情報（介護情報及び医療情報）を、必要に応じて居室コンピュータ６に配信することにより、被介護者の処置を適切かつ迅速に実施できる。
【００２９】
［変形例］
集中管理コンピュータ５は、居室１２内に設置された被介護者識別タグ９が介護者端末３により読み取られたタイミングで、被介護者の情報を配信するようにしてもよい。被介護者の介護情報や医療情報は、個人情報でもあるため、これを必要とする担当者が居室内１２に滞在している間だけ閲覧可能としてもよい。
【符号の説明】
【００３０】
１…介護設備
１０…集中管理室
１２…居室
５…集中管理コンピュータ
６…居室コンピュータ
５０…介護支援プログラム
【図１】
2020160545.tif 000003
【図２】
2020160545.tif 000004
【図３】
2020160545.tif 000005
【図４】
2020160545.tif 000006
【図５】
2020160545.tif 000007
【図６】
2020160545.tif 000008